【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
互いに対向する内面に透明電極を形成した視認側の第１の基板と視認側と反対側の第２の基板との間に液晶層を挟持してなる液晶表示パネルを備えた液晶表示装置であって、
前記第２の基板と該第２の基板上の透明電極との間に、高屈折率層と低屈折率層とを交互に積層して形成した誘電体多層膜による半透過反射膜を設け、
前記第１，第２の基板に形成した前記透明電極の少なくとも一方は色付きを有し、
前記半透過反射膜による反射光または透過光の可視光域における光分光特性が、前記少なくとも一方の透明電極の透過光の色味を補正してほぼフラットであることを特徴とする液晶表示装置。
【請求項２】
請求項１に記載の液晶表示装置であって、
前記少なくとも一方の透明電極は、該透明電極を通過する最大透過率を示す光が、白色光源を用いたＣＩＥ１９３１表色系の色度図における、ｘ値０．２２から０．２８，ｙ値０．２１から０．３１で規定された領域と、ｘ値０．２８から０．３４，ｙ値０．２２から０．３５で規定された領域のいずれかの領域の色となるように膜厚が設定されていることを特徴とする液晶表示装置。
【請求項３】
請求項２に記載の液晶表示装置であって、
前記第１の基板の前記液晶層と反対側に、光学的異方性を有する第１の光制御層を設け、その第１の光制御層が、前記液晶表示パネルから出射される光の色味を補正して可視光域における光分光特性をほぼフラットにすることを特徴とする液晶表示装置。
【請求項４】
請求項３に記載の液晶表示装置であって、
前記第２の基板の前記液晶層と反対側に配した補助光源と、
該補助光源と前記第２の基板との間に配した光学的異方性を有する第２の光制御層とをそれぞれ設け、
前記補助光源と前記第２の光制御層のいずれか一方又は両方が、光源から出射され前記液晶表示パネルと前記第１の光制御層とを透過する透過光の色味を補正して、その透過光の可視光域における光分光特性をほぼフラットにする特性を有することを特徴とする液晶表示装置。
【請求項５】
請求項２に記載の液晶表示装置であって、
前記少なくとも一方の透明電極は、前記第２の基板上に形成された透明電極であることを特徴とする液晶表示装置。
【請求項６】
請求項２に記載の液晶表示装置であって、
前記少なくとも一方の透明電極の膜厚が１６００Å乃至２０００Åであることを特徴とする液晶表示装置。
【請求項７】
請求項２に記載の液晶表示装置であって、
前記少なくとも一方の透明電極の膜厚が２６００Å乃至３０００Åであることを特徴とする液晶表示装置。
【手続補正２】
【補正対象書類名】明細書
【補正対象項目名】０００６
【補正方法】変更
【補正の内容】
【０００６】
【課題を解決するための手段】
この発明は、上記の目的を達成するため、互いに対向する内面に透明電極を形成した視認側の第１の基板と視認側と反対側の第２の基板との間に液晶層を挟持してなる液晶表示パネルを備えた液晶表示装置において、上記第２の基板とその第２の基板上の透明電極との間に、高屈折率層と低屈折率層とを交互に積層して形成した誘電体多層膜による半透過反射膜を設け、上記第１，第２の基板に形成した上記透明電極の少なくとも一方は色付きを有し、上記半透過反射膜による反射光または透過光の可視光域における光分光特性が、上記少なくとも一方の透明電極の透過光の色味を補正してほぼフラットであるようにしたものである。
【手続補正３】
【補正対象書類名】明細書
【補正対象項目名】０００７
【補正方法】変更
【補正の内容】
【０００７】
このような液晶表示装置において、上記少なくとも一方の透明電極について、その透明電極を通過する最大透過率を示す光が、白色光源を用いたＣＩＥ１９３１表色系の色度図における、ｘ値０．２２から０．２８，ｙ値０．２１から０．３１で規定された領域と、ｘ値０．２８から０．３４，ｙ値０．２２から０．３５で規定された領域のいずれかの領域の色となるように膜厚を設定するとよい。
【手続補正４】
【補正対象書類名】明細書
【補正対象項目名】０００８
【補正方法】変更
【補正の内容】
【０００８】
さらに、上記第１の基板の上記液晶層と反対側に、光学的異方性を有する第１の光制御層を設け、その第１の光制御層を、上記液晶表示パネルから出射される光の色味を補正して可視光域における光分光特性をほぼフラットにする特性とするとよい。
さらに、上記第２の基板の上記液晶層と反対側に配した補助光源と、その補助光源と上記第２の基板との間に配した光学的異方性を有する第２の光制御層とをそれぞれ設け、上記補助光源と上記第２の光制御層のいずれか一方又は両方が、光源から出射され前記液晶表示パネルと上記第１の光制御層とを透過する透過光の色味を補正して、その透過光の可視光域における光分光特性をほぼフラットにする特性を有するようにするとよい。
【手続補正５】
【補正対象書類名】明細書
【補正対象項目名】００１９
【補正方法】変更
【補正の内容】
【００１９】
このようにすることにより、液晶表示装置の表示領域（電極を形成した領域）の全面で表示を均一に行うことができる。さらに、多数製造された液晶表示装置の透明電極の膜厚が、製造誤差により例えば±１０％変動したとしても、本発明が適用された透明電極の色味は変化し難く、液晶表示装置の表示品質をほぼ一定に保つことができる。
また、色付き自体をなくしたい場合には、第２の電極６によってつく色と補色の関係にある色のカラーフィルタ等を設けることにより、容易に色付きをなくすことができる。さらに、赤（Ｒ），緑（Ｇ），青（Ｂ）等のカラーフィルタを用いてカラー表示を行う場合にも、任意の色を表示するための各色のフィルタの光学特性の設定を、容易に正確に行うことができる。
なお、両方の基板上の電極の膜厚を上記のように設定することにより、色むらの低減という点ではさらに改善を図ることができるが、第１，第２の基板１，２の一方の基板上に形成する電極については、その膜厚を、上記のような光学的な特性からの要請よりも、液晶表示パネル１０内を引き回す配線の抵抗値等の特性を重視して設定した方が表示品質の向上に効果的な場合がある。そこで、この液晶表示装置では、第１の電極５の膜厚は抵抗値等の特性を重視して２２００Åとしている。その膜厚とすることで、ＩＴＯのシート抵抗を配線抵抗上問題ないレベルである１０／ｓｑとすることができる。
【手続補正６】
【補正対象書類名】明細書
【補正対象項目名】００３８
【補正方法】変更
【補正の内容】
【００３８】
液晶層１３に所定の電圧を印加すると、ネマチック液晶の分子が立ち上がり、液晶表示パネル１０′の実質的なΔｎｄ値が減少する。そのため、バックライト２０から出て第２の偏光板１４を通して入射した直線偏光は、第２の位相差板１７を通過することによって円偏光となるが、液晶層１３と第１の位相差板１５を透過することにより、楕円偏光や直線偏光になる。
この電圧印加により液晶表示パネル１０′で発生する位相差を１／４波長とすると、第２の偏光板１４を通して入射した直線偏光は、さらに第１の位相差板１５を透過することによって偏光方向が９０゜回転するため、第１の偏光板１２を透過し、良好な白表示を得ることができる。
このように、この液晶表示装置においては、液晶層３への電圧の印加、無印加を画素単位で制御することにより、視認側から入射する光を利用する場合にはミラー調と黒、バックライト２０の光を利用する場合には白と黒とを切り替えて表示を行うことができる。